(57)【要約】【課題】投光する光の色みを一定にすることができる投光器を提供すること。【解決手段】投光器１は、ケーシング２と、ケーシング２内に設置された投光部３、撮像素子４および反射部５とを備えている。投光部３は、複数のＬＥＤチップ３１ａと、複数のＬＥＤチップ３１ｂと、各ＬＥＤチップ３１ａ、３１ｂを支持する基板３２とを有している。撮像素子４は、基板３２の中央部に配置されている。反射部５は、網状体で構成され、ケーシング２の窓部２２の内側の表面に設置されている。投光部３から発せられた光の大部分は、反射部５の網目から投光され、一部は、撮像素子４側に反射する。この投光器１では、反射部５で反射した反射光の色みを検出し、検出された色みに基づいて、その反射光の色みが目的の範囲内となるように、対応するＬＥＤの駆動信号を補正する。【選択図】図１
2012059514.tif 000002
【特許請求の範囲】
【請求項１】
ＬＥＤを有する投光部と、
前記ＬＥＤに駆動信号を送り、該ＬＥＤを発光させる駆動部と、
前記ＬＥＤが発した光の一部を反射する反射部と、
前記反射部で反射した反射光の色みを検出する検出手段と、
前記検出手段により検出された色みに基づいて、前記反射光の色みが目的の範囲内となるように、前記ＬＥＤの駆動信号を補正する補正データを作成する補正データ作成手段とを備えることを特徴とする投光器。
【請求項２】
前記投光部は、同一の色の光を発する複数の前記ＬＥＤを有し、
前記補正データは、前記駆動信号の大きさを増減するものである請求項１に記載の投光器。
【請求項３】
前記投光部は、異なる色の光を発する複数の前記ＬＥＤを有し、
前記補正データは、前記駆動信号が補正される前記ＬＥＤを特定し、その特定した前記ＬＥＤの駆動信号の大きさを増減するものである請求項１に記載の投光器。
【請求項４】
前記検出手段は、前記反射光の赤色成分の強度と、緑色成分の強度と、青色成分の強度とを特定するものである請求項３に記載の投光器。
【請求項５】
前記補正データ作成手段は、前記検出手段により特定された前記反射光の赤色成分の強度、緑色成分の強度および青色成分の強度と、赤色成分の強度の目的の範囲、緑色成分の強度の目的の範囲および青色成分の強度の目的の範囲とをそれぞれ比較し、前記反射光の赤色成分の強度、緑色成分の強度および青色成分の強度が、それぞれ、赤色成分の強度の目的の範囲内、緑色成分の強度の目的の範囲内および青色成分の強度の目的の範囲内となるように、前記補正データを作成するよう構成されている請求項４に記載の投光器。
【請求項６】
前記検出手段は、前記反射光の強度を検出する光検出センサを有する請求項１ないし５のいずれかに記載の投光器。
【請求項７】
前記光検出センサは、電子画像を形成する撮像素子である請求項６に記載の投光器。
【請求項８】
前記投光部は、前記ＬＥＤを支持する基板を有し、
前記光検出センサは、前記基板の中央部に設置されている請求項６または７に記載の投光器。
【請求項９】
前記反射部は、光を反射する網状体を有する請求項１ないし８のいずれかに記載の投光器。
【請求項１０】
前記網状体は、前記ＬＥＤの正面側に設置されており、
前記ＬＥＤが発した光は、前記網状体の網目から投光されるよう構成されている請求項９に記載の投光器。
【発明の詳細な説明】
【技術分野】
【０００１】
本発明は、投光器に関するものである。
【背景技術】
【０００２】
光源としてＬＥＤ（Ｌｉｇｈｔ  Ｅｍｉｔｔｉｎｇ  Ｄｉｏｄｅ：発光ダイオード）を用いた投光器が知られている（例えば、特許文献１参照）。ＬＥＤは、消費電力が少なく、明るく、長寿命である等の多くの利点を有する。
【０００３】
しかしながら、ＬＥＤには、発光色や発する光の強度にばらつきがあり、また、ＬＥＤは、発光色や発する光の強度が経時変化するという欠点を有する。
【０００４】
すなわち、ＬＥＤは、温度変化により、発光色や発する光の強度が変化し、例えば、投光器の電源を投入し、投光を開始すると、ＬＥＤの温度が上昇してゆき、これにより発光色が薄くなったり、発する光の強度が低下する。これにより、ＬＥＤを光源とする投光器では、投光を開始したときから所定時間経過すると、初期（本来）の色みの光を投光することができなくなる。なお、本明細書における光の色みとは、光の色（狭義の色み）と光の強度とを含む概念である。
【０００５】
また、ＬＥＤには、発光色や発する光の強度にばらつきがあるので、複数の投光器について同じ設定を行っても、各投光器間において、投光する光の色みにばらつきが生じてしまう。
【先行技術文献】
【特許文献】
【０００６】
【特許文献１】特開２００９−２３８７３４号公報
【発明の概要】
【発明が解決しようとする課題】
【０００７】
本発明の目的は、投光する光の色みを一定にすることができる投光器を提供することにある。
【課題を解決するための手段】
【０００８】
このような目的は、下記（１）〜（１０）の本発明により達成される。
（１）  ＬＥＤを有する投光部と、
前記ＬＥＤに駆動信号を送り、該ＬＥＤを発光させる駆動部と、
前記ＬＥＤが発した光の一部を反射する反射部と、
前記反射部で反射した反射光の色みを検出する検出手段と、
前記検出手段により検出された色みに基づいて、前記反射光の色みが目的の範囲内となるように、前記ＬＥＤの駆動信号を補正する補正データを作成する補正データ作成手段とを備えることを特徴とする投光器。
【０００９】
（２）  前記投光部は、同一の色の光を発する複数の前記ＬＥＤを有し、
前記補正データは、前記駆動信号の大きさを増減するものである上記（１）に記載の投光器。
【００１０】
（３）  前記投光部は、異なる色の光を発する複数の前記ＬＥＤを有し、
前記補正データは、前記駆動信号が補正される前記ＬＥＤを特定し、その特定した前記ＬＥＤの駆動信号の大きさを増減するものである上記（１）に記載の投光器。
【００１１】
（４）  前記検出手段は、前記反射光の赤色成分の強度と、緑色成分の強度と、青色成分の強度とを特定するものである上記（３）に記載の投光器。
【００１２】
（５）  前記補正データ作成手段は、前記検出手段により特定された前記反射光の赤色成分の強度、緑色成分の強度および青色成分の強度と、赤色成分の強度の目的の範囲、緑色成分の強度の目的の範囲および青色成分の強度の目的の範囲とをそれぞれ比較し、前記反射光の赤色成分の強度、緑色成分の強度および青色成分の強度が、それぞれ、赤色成分の強度の目的の範囲内、緑色成分の強度の目的の範囲内および青色成分の強度の目的の範囲内となるように、前記補正データを作成するよう構成されている上記（４）に記載の投光器。
【００１３】
（６）  前記検出手段は、前記反射光の強度を検出する光検出センサを有する上記（１）ないし（５）のいずれかに記載の投光器。
【００１４】
（７）  前記光検出センサは、電子画像を形成する撮像素子である上記（６）に記載の投光器。
【００１５】
（８）  前記投光部は、前記ＬＥＤを支持する基板を有し、
前記光検出センサは、前記基板の中央部に設置されている上記（６）または（７）に記載の投光器。
【００１６】
（９）  前記反射部は、光を反射する網状体を有する上記（１）ないし（８）のいずれかに記載の投光器。
【００１７】
（１０）  前記網状体は、前記ＬＥＤの正面側に設置されており、
前記ＬＥＤが発した光は、前記網状体の網目から投光されるよう構成されている上記（９）に記載の投光器。
【発明の効果】
【００１８】
本発明によれば、投光する光の色みが目的の範囲内となるようにＬＥＤの駆動信号を補正するので、その投光する光の色みを一定にすることができる。
【００１９】
すなわち、ＬＥＤの発光色や発する光の強度が変化しても、ＬＥＤの駆動信号を補正することにより、投光する光の色みを一定にすることができる。
また、複数の投光器間における投光する光の色みのばらつきを防止することができる。
【００２０】
また、ＬＥＤから発せられ、反射部で反射した反射光を受光し、その反射光の色みを検出するので、ＬＥＤが発した光を直接受光する場合に比べ、ＬＥＤから発せられた光が受光されるまでの光路長が長くなり、これにより、投光部が異なる色の光を発する複数のＬＥＤを有する場合、投光する光の色みを正確に検出することができ、補正データを確実に作成することができる。
【図面の簡単な説明】
【００２１】
【図１】本発明の投光器の実施形態を示す斜視図である。
【図２】図１に示す投光器において、窓部および反射部を取り外した状態を示す正面図である。
【図３】図２中のＡ−Ａ線での部分断面図である。
【図４】図１に示す投光器のブロック図である。
【図５】図１に示す投光器の制御動作を示すフローチャートである。
【発明を実施するための形態】
【００２２】
以下、本発明の投光器を添付図面に示す好適な実施形態に基づいて詳細に説明する。
図１は、本発明の投光器の実施形態を示す斜視図、図２は、図１に示す投光器において、窓部および反射部を取り外した状態を示す正面図、図３は、図１に示す投光器の、図２中のＡ−Ａ線での部分断面図、図４は、図１に示す投光器のブロック図、図５は、図１に示す投光器の制御動作を示すフローチャートである。
【００２３】
なお、以下では、図３中の左側を「正面（先端）」、右側を「背面（基端）」として説明を行う。
【００２４】
これらの図に示す投光器１は、光源としてＬＥＤ（Ｌｉｇｈｔ  Ｅｍｉｔｔｉｎｇ  Ｄｉｏｄｅ：発光ダイオード）を用いたフルカラーの光を投光し得る装置である。この投光器１は、ケーシング２と、ケーシング２内に設置された投光部３、撮像素子４および反射部５とを備えている。なお、本実施形態の投光器１は、ケーシング２に各操作を行う後述する操作部（操作手段）１２が設けられた形態のものであるが、これに限らず、例えば、操作手段として、無線方式または有線方式のリモコンを備えるものであってもよい。
【００２５】
ケーシング２は、有底筒状（図示の構成では、有底の円筒状）の本体部２１と、本体部２１の先端部に設けられ、その本体部２１の先端部の開口を塞ぐ蓋を兼ねる窓部２２とを有している。窓部２２は、透明な（光透過性を有する）部材で構成されている。
【００２６】
投光部３は、複数（図示の構成では６つの）のＬＥＤチップ（第１のＬＥＤチップ）３１ａと、複数（図示の構成では３つの）のＬＥＤチップ（第２のＬＥＤチップ）３１ｂと、各ＬＥＤチップ３１ａ、３１ｂを支持する基板３２とを有している。各ＬＥＤチップ３１ａ、３１ｂは、基板３２の正面側（先端側）、すなわち、光を投光（照射）する側に設置されている。また、基板３２は、本体部の先端部の内側に固定されている。
【００２７】
ＬＥＤチップ３１ａは、赤色（Ｒ）の光（赤色の波長帯の光）を発するＬＥＤ、緑色（Ｇ）の光（緑色の波長帯の光）を発するＬＥＤ、青色（Ｂ）の光（青色の波長帯の光）を発するＬＥＤおよび白色（Ｗ）の光を発するＬＥＤを有している。なお、ＬＥＤチップ３１ａにおける赤色の光を発するＬＥＤ、緑色の光を発するＬＥＤ、青色の光を発するＬＥＤおよび白色の光を発するＬＥＤの数は、それぞれ、１つでもよく、また、複数でもよい。
【００２８】
また、ＬＥＤチップ３１ｂは、琥珀色（アンバー）（Ａ）の光を発するＬＥＤを有している。このように投光部３は、異なる色の光を発する踏む数のＬＥＤを有している。なお、ＬＥＤチップ３１ｂにおける琥珀色の光を発するＬＥＤの数は、１つでもよく、また、複数でもよい。
【００２９】
各ＬＥＤチップ３１ａ、３１ｂの各ＬＥＤの出力をそれぞれ調整することにより、フルカラーの光、すなわち、任意の色みの光を投光することができる。なお、前述したように、本明細書における光の色みとは、光の色（狭義の色み）と光の強度とを含む概念である。
【００３０】
以下では、ＬＥＤチップ３１ａ、ＬＥＤチップ３１ｂを総称する場合には、「ＬＥＤチップ３１」と言い、区別して言う場合には、「ＬＥＤチップ３１ａ」、「ＬＥＤチップ３１ｂ」と言う。
【００３１】
また、ＬＥＤチップ３１ａ、３１ｂのＬＥＤが発した光を、単に、「ＬＥＤが発した光」とも言う。
【００３２】
また、ケーシング２の窓部２２の内側の表面には、ＬＥＤが発した光の一部を反射する反射部５が設置されている。この反射部５は、本実施形態では、網状体で構成され、窓部２２の全体に設けられている。これにより、ＬＥＤが発した光の大部分は、反射部５の網目（開口）から投光され、一部のみを反射することができる。また、反射部５の厚みを薄くすることができ、省スペース化を図ることができる。
【００３３】
この反射部５を構成する網状体は、複数の開口が形成されているものであればよく、例えば、一体的に形成されているものでもよく、また、編組体であってもよい。
【００３４】
また、反射部５を構成する網状体のＬＥＤチップ３１側の面形状としては、例えば、平面（平坦面）、湾曲凹面等が挙げられるが、このうち、湾曲凹面が好ましい。前記網状体のＬＥＤチップ３１側の面形状を湾曲凹面とすることにより、反射部５で反射する光を後述する撮像素子４の受光面に集光させることができ、これによって、反射部５における開口の比率を比較的大きくし、各ＬＥＤチップ３１から発せられる光の多くを投光することができる。
【００３５】
なお、反射部５は、窓部２２の一部に設けられていてもよく、また、窓部２２以外の位置（部位）に設けられていてもよい。
【００３６】
反射部５における開口の比率（開口の占める面積の割合）は、特に限定されず、各ＬＥＤチップ３１の各ＬＥＤや反射部５の特性、要求する光量等の諸条件により適宜設定されるが、１〜９９％程度であることが好ましく、６０〜９０％程度であることがより好ましく、８０〜９０％程度であることがさらに好ましい。
【００３７】
また、反射部５の構成材料は、ＬＥＤが発した光を反射し得るものであれば、特に限定されず、例えば、ステンレス鋼等の金属材料等が挙げられる。なお、反射部５は、少なくともそのＬＥＤチップ３１側の表面が光を反射し得る材料で構成されていればよい。
【００３８】
また、基板３２の正面側、すなわち、ＬＥＤチップ３１が設置されている側には、ＬＥＤから発せられ、反射部５で反射した反射光（光）の強度を検出する光検出センサとして、電子画像を形成する撮像素子（固体撮像素子）４が設置されている。
【００３９】
撮像素子４としては、例えば、赤色（Ｒ）、緑色（Ｇ）および青色（Ｂ）の各色要素（着色部）を有する原色カラーフィルタが撮像面上に設けられたＣＣＤイメージセンサや、ＣＭＯＳセンサ等を用いることができる。
【００４０】
この撮像素子４により、投光部３から投光される光、すなわち、各ＬＥＤが発した光を合成した光の赤色成分の強度（レベル）、緑色成分の強度および青色成分の強度をそれぞれ検出することができる。
【００４１】
撮像素子４は、基板３２の中央部に配置され、各ＬＥＤチップ３１ｂは、その撮像素子４を中心とし、周方向に沿って等角度間隔（等間隔）に配置されている。
【００４２】
また、ＬＥＤチップ３１ａは、さらに、ＬＥＤチップ３１ｂの外周側に、撮像素子４を中心とし、周方向に沿って等角度間隔に配置されている。
【００４３】
なお、撮像素子４、ＬＥＤチップ３１ａ、ＬＥＤチップ３１ｂの配置は、これに限定されないことは、言うまでもない。
【００４４】
また、投光器１は、ＬＥＤに駆動信号を送り、ＬＥＤを発光させる（駆動する）駆動部６と、制御部（制御手段）７と、画像処理部８と、分析部９と、記憶部１１と、をケーシング２内に有している。また、ケーシング２には、各操作を行う操作ボタン、操作スイッチ、操作ダイヤル等を有する操作部（操作手段）１２が設置されている。
【００４５】
制御部７は、後述する補正データの作成の他、撮像素子４、画像処理部８、分析部９、駆動部６および記憶部１１等、投光器１全体の作動を制御する。この制御部７としては、例えば、マイクロコンピュータ等を用いることができる。
【００４６】
この投光器１では、ＬＥＤから発せられ、反射部５で反射した反射光（以下、単に「反射光」とも言う）の色みを検出し、検出された色みに基づいて、反射光の色みが目的の範囲内となるように、対応するＬＥＤの駆動信号を補正する。
【００４７】
すなわち、まずは、撮像素子４により、反射光を撮像し、画像処理部８により、画像データを作成する。この画像データは、撮像素子４の各画素毎の赤色成分の強度、緑色成分の強度および青色成分の強度を示すものである。
【００４８】
次に、分析部９により、画像データに基づいて、反射光の赤色成分の強度と、緑色成分の強度と、青色成分の強度とを特定する。この場合、反射光の赤色成分の強度、緑色成分の強度および青色成分の強度は、それぞれ、撮像素子４の各画素毎に得られるので、各色成分について、それぞれ、例えば、各画素の平均値を求め、その平均値を反射光の赤色成分の強度、緑色成分の強度および青色成分の強度とする。
【００４９】
次に、制御部７により、前記特定された反射光の赤色成分の強度、緑色成分の強度および青色成分の強度と、赤色成分の強度の目的の範囲、緑色成分の強度の目的の範囲および青色成分の強度の目的の範囲とをそれぞれ比較する。そして、反射光の赤色成分の強度、緑色成分の強度および青色成分の強度が、それぞれ、赤色成分の強度の目的の範囲内、緑色成分の強度の目的の範囲内および青色成分の強度の目的の範囲内となるように、ＬＥＤの駆動信号を補正する補正データを作成する。
【００５０】
前記補正データは、駆動信号が補正されるＬＥＤを特定し、その特定したＬＥＤの駆動信号の大きさを増減するものである。
【００５１】
この場合、予め、分析部９により特定される反射光の色成分（赤色成分、緑色成分、青色成分）の強度と、反射光の色成分の目的の範囲と、ＬＥＤの駆動信号の大きさを増減する際に使用するデータとの関係を示すテーブルや演算式等の検量線を実験的に作成し、後述する記憶部１１に記憶する。この検量線は、例えば、赤色成分用のものと、緑色成分用のものと、青色成分用のものとをそれぞれ作成する。そして、前記補正データの作成の際は、制御部７は、記憶部１１から前記検量線を読み出し、その検量線を用いて、分析部９により特定された反射光の色成分の強度と、反射光の色成分の目的の範囲とに基づいて、補正データのうちのＬＥＤの駆動信号の大きさを増減する際に使用するデータを求める（作成する）。
【００５２】
なお、前記赤色成分、緑色成分および青色成分の強度の目的の範囲は、それぞれ、後述する色みの設定値（設定色）に対応しており、各色み毎に定まっている。
【００５３】
また、この投光器１では、操作部１２を操作して投光する光の色みを自在に設定できるようになっている。すなわち、操作部１２が操作され、投光する光の色みとして所定の色みが入力されると、制御部７は、投光する光の色みとして、前記入力された色みを設定する。また、制御部７は、前記設定された色みに応じて、光を投光する際にＬＥＤに送る駆動信号の大きさの初期値を設定する。そして、駆動部６は、光を投光する際は、ＬＥＤに前記設定された大きさの駆動信号を送り、ＬＥＤを発光させる。
【００５４】
ＬＥＤの駆動方式としては、特に限定されないが、例えば、駆動信号としてパルス（パルス信号）を用い、そのパルスのデューティー比を変えることでＬＥＤに入力（供給）する電流の値を調整するＰＷＭ方式を採用する。
【００５５】
なお、撮像素子４、画像処理部８および分析部９により、反射光の色みを検出する検出手段の主要部が構成される。
【００５６】
また、制御部７により、ＬＥＤの駆動信号を補正する補正データを作成する補正データ作成手段の主要部が構成される。
【００５７】
次に、投光器１の作用を説明する。
投光器１の操作部１２の図示しない投光開始スイッチをオンすると、図４に示すプログラム（フローチャート）が実行されるとともに、駆動部６は、各ＬＥＤチップ３１ａの赤色の光を発するＬＥＤ、緑色の光を発するＬＥＤ、青色の光を発するＬＥＤおよび白色の光を発するＬＥＤ、各ＬＥＤチップ３１ｂの琥珀色の光を発するＬＥＤのうちの対応するＬＥＤに、それぞれ、設定された大きさの駆動信号を送出する。これにより、対応するＬＥＤが発光し、投光部３から設定された色みの光が投光される。この場合、投光部３から発せられた光の大部分は、反射部５の網目を通過し、窓部２２から投光され、一部は、反射部５で撮像素子４側に反射する。
【００５８】
図４に示すように、まずは、撮像素子４により、反射部５で反射した反射光を撮像し、画像処理部８により、画像データを作成する（ステップＳ１０１）。
【００５９】
次いで、分析部９により、画像データに基づいて、反射光の赤色成分の強度と、緑色成分の強度と、青色成分の強度とを特定する（ステップＳ１０２）。
【００６０】
次いで、制御部７により、ステップＳ１０２で特定された反射光の赤色成分の強度、緑色成分の強度および青色成分の強度と、赤色成分の強度の目的の範囲、緑色成分の強度の目的の範囲および青色成分の強度の目的の範囲とをそれぞれ比較する（ステップＳ１０３）。
【００６１】
次いで、制御部７は、ステップＳ１０２で特定された反射光の赤色成分の強度、緑色成分の強度および青色成分の強度が、それぞれ、赤色成分の強度の目的の範囲内、緑色成分の強度の目的の範囲内および青色成分の強度の目的の範囲内であるか否かを判断する（ステップＳ１０４）。
【００６２】
ステップＳ１０４において、反射光の赤色成分の強度、緑色成分の強度および青色成分の強度のうちの１つでも目的の範囲内でないものがあると判断した場合は、ステップＳ１０５に移行する。
【００６３】
ステップＳ１０５においては、制御部７は、反射光の赤色成分、緑色成分および青色成分のうち、その強度が目的の範囲内にないものについて、その強度が目的の範囲内となるようにＬＥＤの駆動信号を補正する補正データを作成する。
【００６４】
具体例としては、例えば、赤色成分の強度のみが目的の範囲内でない場合は、赤色の光を発するＬＥＤのみについて、その駆動信号を増減する補正データを作成する。この補正データの作成は、前述したように、記憶部１１に記憶されている検量線を用いて行う。
【００６５】
次いで、制御部７は、ステップＳ１０５で作成した補正データで対応するＬＥＤの駆動信号を補正する（ステップＳ１０６）。これにより、反射光の赤色成分の強度、緑色成分の強度および青色成分の強度うち、目的の範囲内になかったものが、目的の範囲内に入る（１回で入らない場合でも、何度かステップＳ１０６が実行されることで入る）。これによって、常に、設定された色みの光が投光される。
【００６６】
次いで、ステップＳ１０１に戻り、再度、ステップＳ１０１以降を実行する。
一方、ステップＳ１０４において、反射光の赤色成分の強度、緑色成分の強度および青色成分の強度がすべて目的の範囲内であると判断した場合は、図示しないタイマーをリセットし、時間の計測を開始し（ステップＳ１０７）、設定された時間の計測が終了したら（ステップＳ１０８で「Ｙｅｓ」）、ステップＳ１０１に戻り、再度、ステップＳ１０１以降を実行する。
【００６７】
このタイマーの設定時間は、特に、限定されないが、投光を開始してから時間ｔまでの第１の期間と、前記時間ｔから投光を終了するまでの第２の期間とに分けて設定することが好ましい。
【００６８】
第１の期間は、ＬＥＤの発光色や発する光の強度が比較的大きく経時変化（減少）している期間であり、その第１の期間では、タイマーの設定時間は、比較的短く設定することが好ましい。また、第２の期間は、ＬＥＤの発光色や発する光の強度が比較的小さく経時変化（減少）しているか、またはほとんど変化しない期間であり、その第２の期間では、タイマーの設定時間は、比較的長く設定することが好ましい。
【００６９】
具体的には、前記時間ｔは、３０分〜４時間程度の範囲内で設定することが好ましく、１〜３時間程度の範囲内で設定することがより好ましい。
【００７０】
また、第１の期間では、タイマーの設定時間は、１０秒〜５分程度の範囲内で設定することが好ましく、３０秒〜２分程度の範囲内で設定することがより好ましい。
【００７１】
また、第２の期間では、タイマーの設定時間は、１５分〜３時間程度の範囲内で設定することが好ましく、３０分〜２時間程度の範囲内で設定することがより好ましい。
【００７２】
以上説明したように、この投光器１によれば、投光部３の各ＬＥＤチップ３１ａの赤色の光を発するＬＥＤ、緑色の光を発するＬＥＤ、青色の光を発するＬＥＤおよび白色の光を発するＬＥＤ、各ＬＥＤチップ３１ｂの琥珀色の光を発するＬＥＤのうち、いずれのＬＥＤの発光色や発する光の強度が変化しても、対応するＬＥＤの駆動信号を補正するので、投光部３から投光する光の色みを目的の色み（一定の色み）にすることができる。
【００７３】
また、複数の投光器１間における投光する光の色みのばらつきを防止することができる。
【００７４】
また、投光器１では、反射部５を設け、投光部３から発せられ、反射部５で反射した反射光を受光して、光の色みを検出するので、投光部３から発せられた光を直接受光する場合に比べ、投光部３から発せられた光が撮像素子４の受光面で受光されるまでの光路長が長くなり、これにより、投光部３から投光される光の色みを正確に検出することができ、補正データを確実に作成することができる。
【００７５】
以上、本発明の投光器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００７６】
また、前記実施形態では、光検出センサとして、撮像素子を用いたが、本発明では、これに限定されず、例えば、フォトダイオードとカラーフィルタとの組み合わせ等を用いてもよい。
【００７７】
また、前記実施形態では、反射部は、ケーシングの内側に設置されているが、本発明では、これに限定されず、例えば、窓部の外側の表面等、ケーシングの外側に設置されていてもよい。
【００７８】
また、前記実施形態では、投光器は、フルカラーの光を投光し得るように構成されているが、本発明では、これに限定されず、例えば、投光部は、同一の色の光を発する複数のＬＥＤを有し、単色光を投光するように構成されていてもよい。なお、この場合の補正データは、ＬＥＤの駆動信号の大きさを増減するデータである。
【００７９】
また、前記実施形態では、投光器の使用中に、投光する光の色みが変化する場合、それを防止するよう構成されているが、本発明の用途は、これに限定されず、例えば、投光器における投光する光の色みの校正に使用するよう構成してもよい。この校正は、例えば、工場から出荷する際に行うことができる。これにより、投光器の初期設定を確実に行うことができ、また、複数の投光器間において、投光する光の色みのばらつきを防止することができる。
【符号の説明】
【００８０】
１              投光器
２              ケーシング
２１            本体部
２２            窓部
３              投光部
３１、３１ａ、３１ｂ  ＬＥＤチップ
３２            基板
４              撮像素子
５              反射部
６              駆動部
７              制御部
８              画像処理部
９              分析部
１１            記憶部
１２            操作部
Ｓ１０１〜Ｓ１０８  ステップ
【図１】
2012059514.tif 000003
【図２】
2012059514.tif 000004
【図３】
2012059514.tif 000005
【図４】
2012059514.tif 000006
【図５】
2012059514.tif 000007